(57)【要約】【課題】輝度値が無効である映像信号の表示出力時において、バックライトの消費電力を低減するバックライト駆動装置を提供する。【解決手段】映像信号の輝度データが入力される輝度データ入力部３１１と、輝度データの値に基づき、全周期において有効なデューティー比を有するようにパルス幅変調したパルス信号から構成される駆動信号を生成するＰＷＭ信号生成部３８１と、バックライト４５を駆動するバックライト駆動回路４６と、輝度データ入力部３１１に入力された輝度データの値が所定の値より小さいか否かを判断する映像信号判断部３１３と、輝度データの値が所定の値より小さいと判断したとき、駆動信号を構成しているパルス信号を間引き、この間引いた駆動信号をバックライト駆動回路４６に供給する間引き処理部３８２とを備える。【選択図】  図２
2008275683.tif 000002
【特許請求の範囲】
【請求項１】
液晶型表示パネルを照明するバックライトを駆動するバックライト駆動装置において、
上記液晶型表示パネルに表示する映像信号の輝度データが入力される輝度データ入力手段と、
上記輝度データ入力手段に入力された輝度データの値に基づき、全周期において有効なデューティー比を有するようにパルス幅変調したパルス信号から構成される駆動信号を生成する駆動信号生成手段と、
上記駆動信号生成手段により生成された駆動信号に応じて、上記バックライトに電力を供給して当該バックライトを駆動する電力供給手段と、
上記輝度データ入力手段に入力された輝度データの値が所定の値より小さいか否かを判断する映像信号判断手段と、
上記映像信号判断手段が、上記輝度データ入力手段に入力された輝度データの値が所定の値より小さいと判断したとき、上記駆動信号生成手段により生成される駆動信号を構成しているパルス信号を間引き、このパルス信号を間引いた駆動信号を上記電力供給手段に供給する間引き手段とを備えるバックライト駆動装置。
【請求項２】
上記駆動信号生成手段は、上記輝度データ入力手段に入力された輝度データの値が大きくなるのに伴ってデューティー比を大きくするようにパルス幅変調したパルス信号から構成される上記駆動信号を生成する請求項１記載のバックライト駆動装置。
【請求項３】
上記間引き手段は、上記映像信号判断手段が上記輝度データ入力手段に入力された輝度データの値が所定の値より小さいと判断したとき、上記駆動信号生成手段により生成される駆動信号を構成するパルス信号を１パルス置きに間引いて、この間引いた駆動信号を上記電力供給手段に供給する請求項１記載のバックライト駆動装置。
【請求項４】
映像信号を液晶型表示パネルに表示する液晶型表示装置において、
上記映像信号を取り込む映像信号取込手段と、
上記映像信号取込手段により取り込まれた映像信号を上記液晶型表示パネルに表示する画像処理手段と、
上記液晶型表示パネルを照明するバックライトと、
上記バックライトを駆動するバックライト駆動手段とを備え、
上記バックライト駆動手段は、
上記映像信号取込手段により取り込まれた映像信号の輝度データの値に基づき、全周期において有効なデューティー比を有するようにパルス幅変調したパルス信号から構成される駆動信号を生成する駆動信号生成手段と、
上記駆動信号生成手段により生成された駆動信号に応じて、上記バックライトに電力を供給して当該バックライトを駆動する電力供給手段と、
上記映像信号取込手段により取り込まれた映像信号の輝度データの値が所定の値より小さいか否かを判断する映像信号判断手段と、
上記映像信号判断手段が、上記映像信号取込手段により取り込まれた映像信号の輝度データの値が所定の値より小さいと判断したとき、上記駆動信号生成手段により生成される駆動信号を構成しているパルス信号を間引いて、このパルス信号を間引いた駆動信号を上記電力供給手段に供給する間引き手段とを有する液晶型表示装置。
【発明の詳細な説明】
【技術分野】
【０００１】
本発明は、液晶型表示パネルを照明するバックライトを駆動するバックライト駆動装置、及び、このバックライト駆動装置が組み込まれた液晶型表示装置に関するものである。
【背景技術】
【０００２】
液晶型表示装置は、ブラウン管ディスプレイに対して、筐体の薄型化が図れるという利点から、コンピュータなどの情報機器のディスプレイやテレビジョン受像機として、広く用いられるようになってきている。このような液晶型表示装置は、光源装置として、液晶表示パネルを背面から照明するバックライトを備えている。
【０００３】
従来の液晶型表示装置では、例えば次に示すような駆動信号をバックライトに供給して照明動作をさせることによって液晶型ディスプレイに表示する画像の輝度値を制御している。すなわち、従来の液晶型表示装置では、映像信号の輝度値に伴ってデューティ比が大きくなるようにパルス幅変調した駆動信号を生成し、生成した駆動信号に応じた電圧をバックライトに印加することで表示画像の輝度値を制御している（特許文献１）。
【０００４】
このような従来の液晶型表示装置では、バックライトに一定時間間隔以上の電圧が印加されない低温状態においては、不感帯特性により駆動電圧を印加しても照明駆動しないおそれがあるので、例えば、デューティー比が常に有効な値となる範囲内でパルス幅変調したパルス信号から構成される駆動信号に応じてバックライトを駆動している。
【０００５】
【特許文献１】特開２００４―２５２１２７号公報
【発明の開示】
【発明が解決しようとする課題】
【０００６】
しかしながら、上述した従来の液晶型表示装置では、映像信号の輝度値が０である映像信号を表示するときでも、その表示状態の後、有効なデューティー比のパルス信号でバックライトを駆動しようとしたときにバックライトの不感帯特性によって、バックライトが不点灯となるのを防止するため、常に一定周期毎に有効なデューティー比を有する駆動信号によりバックライトを駆動しているので、デューティ比を０に設定してバックライトライトに全く電力を供給しないのに比べて消費電力が大きくなってしまっている。
【０００７】
そこで、本発明は、このような実情に鑑みて提案されたものであり、例えば輝度値が無効である映像信号の表示出力時において、バックライトの消費電力を低減するバックライト駆動装置、及びこのバックライト駆動装置が組み込まれた液晶型表示装置を提供することを目的とする。
【課題を解決するための手段】
【０００８】
上述した課題を解決するための手段として、本発明は、液晶型表示パネルを照明するバックライトを駆動するバックライト駆動装置であって、上記液晶型表示パネルに表示する映像信号の輝度データが入力される輝度データ入力手段と、上記輝度データ入力手段に入力された輝度データの値に基づき、全周期において有効なデューティー比を有するようにパルス幅変調したパルス信号から構成される駆動信号を生成する駆動信号生成手段と、上記駆動信号生成手段により生成された駆動信号に応じて、上記バックライトに電力を供給して当該バックライトを駆動する電力供給手段と、上記輝度データ入力手段に入力された輝度データの値が所定の値より小さいか否かを判断する映像信号判断手段と、上記映像信号判断手段が、上記輝度データ入力手段に入力された輝度データの値が所定の値より小さいと判断したとき、上記駆動信号生成手段により生成される駆動信号を構成しているパルス信号を間引き、このパルス信号を間引いた駆動信号を上記電力供給手段に供給する間引き手段とを備える。
【０００９】
また、本発明は、映像信号を液晶型表示パネルに表示する液晶型表示装置であって、上記映像信号を取り込む映像信号取込手段と、上記映像信号取込手段により取り込まれた映像信号を上記液晶型表示パネルに表示する画像処理手段と、上記液晶型表示パネルを照明するバックライトと、上記バックライトを駆動するバックライト駆動手段とを備える。上記バックライト駆動手段は、上記映像信号取込手段により取り込まれた映像信号の輝度データの値に基づき、全周期において有効なデューティー比を有するようにパルス幅変調したパルス信号から構成される駆動信号を生成する駆動信号生成手段と、上記駆動信号生成手段により生成された駆動信号に応じて、上記バックライトに電力を供給して当該バックライトを駆動する電力供給手段と、上記映像信号取込手段により取り込まれた映像信号の輝度データの値が所定の値より小さいか否かを判断する映像信号判断手段と、上記映像信号判断手段が、上記映像信号取込手段により取り込まれた映像信号の輝度データの値が所定の値より小さいと判断したとき、上記駆動信号生成手段により生成される駆動信号を構成しているパルス信号を間引いて、このパルス信号を間引いた駆動信号を上記電力供給手段に供給する間引き手段とを有する。
【発明の効果】
【００１０】
本発明では、入力された輝度データの値が所定の値より小さいと判断したとき、駆動信号を構成しているパルス信号を間引き、この間引いた駆動信号を電力供給手段に供給するので、駆動回路の規模が増大する要因となるパルス幅変調周期を変更可能な駆動信号を生成する回路を用いなくても、輝度値が無効である映像信号を出力するときに消費するバックライトの電力を低減することができる。
【発明を実施するための最良の形態】
【００１１】
以下、本発明を実施するための最良の形態について、図面を参照しながら詳細に説明する。
【００１２】
本発明が適用された液晶型表示装置は、映像信号を外部から入力して液晶型ディスプレイに表示する表示装置の一例であって、具体的には図１に示すような構成を有している。
【００１３】
すなわち、液晶型表示装置１は、図１に示すように、外部から映像信号、音声信号やテレビジョン信号を入力する信号入力部１０と、表示装置に関する制御情報などを入力するデータ入力部２０と、主に信号入力部１０から入力された映像信号に所定の画像処理を施す画像処理部３０と、映像信号を表示する表示部４０と、外部へ映像信号や音声信号を出力する信号出力部５０とを備える。
【００１４】
本発明が適用された液晶型表示装置１は、後述する表示部４０が備えるバックライト４５で消費される消費電力の低減を実現するものである。まず、本実施の形態では、このバックライト４５の動作に関する説明に先立ち、液晶型表示装置１の全体で行われる処理について説明する。
【００１５】
信号入力部１０は、図示しないアンテナにより受信される地上デジタル放送波の受信信号を入力するＲＦ入力端子１１と、図示しないアンテナにより受信される衛星放送波の受信信号を入力するＢＳ／ＣＳ入力端子１２と、ＲＦ入力端子１１とＢＳ／ＣＳ入力端子１２とから入力された信号を受信するチューナー１３と、ＨＤＭＩ（High-Definition Multimedia Interface）方式の伝送信号を入力するＨＤＭＩ入力端子１４と、アナログビデオ信号を入力する複数のアナログ信号入力端子１５ａ〜１５ｃと、アナログ信号入力端子１５ａ〜１５ｃから入力されたアナログ信号が供給されるバス１６とを備えている。
【００１６】
ＲＦ入力端子１１は、図示しないアンテナにより受信された地上デジタル放送の受信信号を入力するための接続端子であって、入力された信号をチューナー１３に供給する。
【００１７】
ＢＳ／ＣＳ入力端子１２は、図示しないアンテナにより受信された衛星放送波の受信信号を入力するための接続端子であって、入力された信号をチューナー１３に供給する。
【００１８】
チューナー１３は、ＲＦ入力端子１１、及び、ＢＳ／ＣＳ入力端子１２から入力された信号を受信して、この受信信号に復調処理を施して、デジタルテレビジョン信号、アナログ映像信号、及びアナログ音声信号を画像処理部３０に供給する。ここで、チューナー１３は、アナログ放送波の受信信号に対して復調処理を行うようにしても良い。よって、アナログ映像信号、及びアナログ音声信号は、チューナー１３にアナログ地上放送波やアナログ衛星放送波などの受信信号を復調したときに出力する信号である。
【００１９】
ＨＤＭＩ入力端子１４は、デジタル映像信号とデジタル音声信号と制御信号とが多重化されたＨＤＭＩ方式の伝送信号を入力するための入力端子であって、入力された信号を画像処理部３０に供給する。
【００２０】
アナログ信号入力端子１５ａ〜１５ｃは、それぞれアナログ映像信号とアナログ音声信号とからなるアナログビデオ信号を入力するための入力端子である。例えば、アナログ信号入力端子１５ａ〜１５ｃに入力されたアナログビデオ信号は、バス１６を介して、アナログ映像信号が画像処理部３０に供給され、アナログ音声信号が信号出力部５０に供給される。なお、アナログ信号入力端子１５ａから入力されたアナログ映像信号は、バス１６を介さずに直接画像処理部３０に供給される。
【００２１】
データ入力部２０は、限定受信方式（例えばＢ−ＣＡＳ方式）で暗号化された放送波の受信信号に含まれる暗号情報を解読する暗号鍵情報が記録されたＢ−ＣＡＳカード２１と、Ｂ−ＣＡＳカード２１と接続するＢ−ＣＡＳインタフェース部２２と、図示しないモデムと接続するモデムインタフェース部２３と、ローカルエリアネットワークと接続するイーサインタフェース部２４とを備えている。
【００２２】
Ｂ−ＣＡＳカード２１は、限定受信方式の一例としてＢ−ＣＡＳ方式で暗号化された放送波の受信信号に含まれる暗号情報を解読するための暗号鍵情報が記録されている。
【００２３】
Ｂ−ＣＡＳインタフェース部２２は、Ｂ−ＣＡＳカード２１に記録された暗号鍵情報を入力するインタフェースであって、入力された暗号鍵情報を画像処理部３０に供給する。
【００２４】
モデムインタフェース部２３は、例えばＡＤＳＬモデムなどと接続されてインターネット回線から所定のデータの送受信を行うインタフェースである。
【００２５】
イーサインタフェース部２４は、例えば、ローカルエリアネットワークを介して、他の情報処理機器との間で通信を行うインタフェースである。
【００２６】
画像処理部３０は、液晶型表示装置１全体の処理を制御する制御部３１と、映像信号に対して所定の処理を施して表示部４０に出力する映像信号処理部３２と、制御部３１から出力されるデジタル音声信号をアナログ音声信号に変換するＤ／Ａ変換部３３と、信号入力部１０などからの複数の映像信号を各処理部に供給するための切換部３４と、アナログ映像信号の色差信号に所定の処理を施してデジタル映像信号に変換するサブクロマデコーダ３５と、アナログ映像信号をデジタル映像信号に変換するＡ／Ｄ変換部３６と、ＨＤＭＩ方式の伝送信号を受信してデジタル映像信号とデジタル音声信号とに分離して出力するＨＤＭＩレシーバ３７と、後述する表示部４０のバックライト駆動回路４６の動作を制御するバックライトドライブ部３８とを備えている。
【００２７】
制御部３１は、液晶型表示装置１全体の処理を制御する処理部であって、具体的には次に示すような機能を実行するプロセッサによって実現されている。
【００２８】
第１の機能として、制御部３１は、チューナー１３から供給されるデジタルテレビジョン信号をデジタル映像信号とデジタル音声信号とに分離するデコーダ３１ａを備えている。このデコーダ３１ａは、復調したデジタル映像信号を映像信号処理部３２に供給するとともに、復調したデジタル音声信号をＤ／Ａ変換部３３に供給する。また、デコーダ３１ａは、復調したデジタル映像信号をアナログ映像信号に変換して、変換したアナログ映像信号を切換部３４に供給する。
【００２９】
ここで、デジタルテレビジョン信号がＢ−ＣＡＳ方式で暗号化されているとき、デコーダ３１ａは、Ｂ−ＣＡＳインタフェース部２２から供給される暗号鍵情報に基づいて解読処理を施すことにより、デスクランブル処理されたデジタル映像信号とデジタル音声信号に復調する。
【００３０】
第２の機能として、制御部３１は、バックライトドライブ部３８の動作を制御する。この処理に関しては、後述する。
【００３１】
制御部３１は、上述した第１の機能、第２の機能以外にも、テレビジョン放送の録画予約処理や、各処理部へ所定の電力を供給するための処理などを行う。
【００３２】
映像信号処理部３２は、制御部３１のデコーダ３１ａで復調されたデジタル映像信号から、光の３原色間で同期がとれた３つの色信号に変換して、表示部４０に供給する。また、映像信号処理部３２では、インタレース方式の映像信号をプログレッシブ方式に変換する処理も行う。また、映像信号処理部３２は、映像信号の輝度情報を制御部３１に供給する。なお、映像信号処理部３２は、デコーダ３１ａ以外に、例えば後述するサブクロマデコーダ３５やＨＤＭＩレシーバ３７から供給されるデジタル映像信号や、切換部３４から供給されるアナログ映像信号に対して、上述した色信号に関する変換処理を施して、変換後の色信号を表示部４０に供給する。
【００３３】
Ｄ／Ａ変換部３３は、制御部３１のデコーダ３１ａで復調されたデジタル音声信号をアナログ音声信号に変換して、変換したアナログ音声信号を信号出力部５０に供給する。
【００３４】
切換部３４は、信号入力部１０と制御部３１のデコーダ３１ａとから供給されるアナログ映像信号を入力して、入力した各信号を、映像信号処理部３２、サブクロマデコーダ３５、Ａ／Ｄ変換部３６、及び信号出力部５０に供給するための信号線の接続の切換処理を行う。
【００３５】
サブクロマデコーダ３５は、切換部３４から供給される映像信号のうち、色差信号のＣｒ，Ｃｂとが直交符号化されている映像信号の色差信号に直交復調処理を施して、色差信号に対して直交復調したアナログ信号をデジタル化し、このデジタル映像信号を映像信号処理部３２に供給する。
【００３６】
Ａ／Ｄ変換部３６は、切換部３４から供給される映像信号をデジタル化して、このデジタル映像信号をＨＤＭＩレシーバ３７に供給する。なお、Ａ／Ｄ変換部３６に供給されるアナログ映像信号は、色差信号に関して直交符号化処理がなされていない信号である。
【００３７】
ＨＤＭＩレシーバ３７は、信号入力部１０からＨＤＭＩ方式の伝送信号を受信してデジタル映像信号とデジタル音声信号とに分離して、分離したデジタル映像信号を映像信号処理部３２に供給するとともに、分離したデジタル音声信号を制御部３１に供給する。また、ＨＤＭＩレシーバ３７は、この分離したデジタル映像信号、又はＡ／Ｄ変換部３６から供給されるデジタル映像信号のうちどちらか一方を映像信号処理部３２に供給する切換処理も行う。
【００３８】
バックライトドライブ部３８は、パルス幅変調した駆動信号を生成して、この駆動信号を後述する表示部４０が備えるバックライト駆動回路４６に供給し、このバックライト駆動回路４６の動作を制御する。
【００３９】
表示部４０は、ｘｙ直交座標方向に配設された電極に電圧を印加することにより映像信号を表示する液晶型表示パネル４１と、液晶型表示パネル４１のｘ方向の電極に駆動電圧を供給するｘ電極ドライバ４２と、液晶型表示パネル４１のｙ方向の電極に駆動電圧を供給するｙ電極ドライバ４３と、画像処理部３０から供給される映像信号に応じてｘ電極ドライバ４２とｙ電極ドライバ４３とを動作させるドライバ制御部４４と、液晶型表示パネル４１をその背面側から照明するバックライト４５と、バックライト４５に駆動電圧を供給するバックライト駆動回路４６とを備えている。
【００４０】
液晶型表示パネル４１は、例えば、ｘ方向、及びｙ方向にそれぞれ電極が配列され、ｘｙ電極の交点毎に画素に対応したアクティブ素子が形成されたアクティブマトリクス方式のパネルである。
【００４１】
ｘ電極ドライバ４２は、液晶型表示パネル４１のｘ方向に配列された電極に駆動電圧を印加する。
【００４２】
ｙ電極ドライバ４３は、液晶型表示パネル４１のｙ方向に配列された電極に駆動電圧を印加する。
【００４３】
ドライバ制御部４４は、画像処理部３０から供給される映像信号に応じて、ｘ電極ドライバ４２とｙ電極ドライバ４３とを動作させる。
【００４４】
バックライト４５は、例えば、ＣＣＦＬ（Cold Cathode FL）の冷陰極蛍光管などを液晶型表示パネル４１に対して平行に配列された直下型方式の照明装置である。
【００４５】
バックライト駆動回路４６は、バックライト４５の各冷陰極蛍光管に駆動電圧を供給する。
【００４６】
信号出力部５０は、信号入力部１０などから入力されるアナログ音声信号に所定の処理を施して出力する音声出力部５１と、音声出力部５１から出力されるアナログ音声信号に増幅処理を施すフォノアンプ５２、音声出力部５１から出力されるアナログ音声信号に増幅処理を施すパワーアンプ５３と、パワーアンプ５３で増幅処理されたアナログ音声信号を音声出力するスピーカ５４と、アナログ映像信号とアナログ音声信号とからなるビデオ信号を外部へ出力する記録用出力端子５５と、音声出力部５１からのアナログ音声信号を外部へ出力するアナログ音声出力端子５６と、音声出力部５１からのデジタル音声信号を外部へ出力するデジタル音声信号出力端子５７と、フォノアンプ５２で増幅処理されたアナログ音声信号を外部へ出力するフォノ出力端子５８とを備えている。
【００４７】
音声出力部５１は、信号入力部１０、及び画像処理部３０のＤ／Ａ変換部３３から供給されるアナログ音声信号を入力し、入力した信号を、それぞれ、各出力端子に供給するための信号線の接続の切換処理を行う。具体的に、音声出力部５１は、アナログ音声信号をフォノアンプ５２、パワーアンプ５３、記録用出力端子５５、およびアナログ音声出力端子５６に供給し、デジタル音声信号をデジタル音声出力端子５７に供給する。
【００４８】
フォノアンプ５２は、音声出力部５１から出力されるアナログ音声信号に増幅処理を施して、フォノ出力端子５８から外部へ出力する。
【００４９】
パワーアンプ５３は、音声出力部５１から出力されるアナログ音声信号に増幅処理を施してスピーカ５４に供給する。
【００５０】
スピーカ５４は、パワーアンプ５３から供給されるアナログ音声信号を音声出力する。
【００５１】
記録用出力端子５５は、音声出力部５１から供給されるアナログ音声信号と、画像信号処理部３０から供給されるアナログ映像信号とを、例えば記録用のアナログビデオ信号として外部に出力するための接続端子である。
【００５２】
アナログ音声出力端子５６は、音声出力部５１から供給されるアナログ音声信号を外部へ出力するための接続端子である。
【００５３】
デジタル音声出力端子５７は、音声出力部５１から供給されるデジタル音声信号を外部へ出力するための接続端子であって、例えば光信号などで出力される。
【００５４】
フォノ出力端子５８は、フォノアンプ５２から供給される音声信号を外部へ出力するための接続端子である。
【００５５】
次に、バックライト４５の駆動処理について注目して説明する。
【００５６】
図２は、上述した液晶型表示装置１のうち、特にバックライト４５の駆動に関する処理系の構成を模式的に示したブロック図である。
【００５７】
画像処理部３０の制御部３１は、上述したデコーダ３１ａに加えて、映像信号の輝度データが入力される輝度データ入力部３１１と、輝度データ入力部３１１に入力された輝度データの値に応じてバックライトドライブ部３８で生成するＰＷＭ信号のデューティ比を設定するデューティ比設定部３１２と、輝度データ入力部３１１に入力された輝度データの値に応じて所定の判断を行う映像信号判断部３１３と、デューティ比設定部３１２の動作に関する設定情報がユーザインタフェースを介して供給されるユーザ設定部３１４とを備えている。
【００５８】
輝度データ入力部３１１には、デコーダ３１ａで復号された映像信号の輝度データ、および映像信号処理部３２で処理された映像信号の輝度データが入力される。輝度データ入力部３１１は、入力された輝度データをデューティ比設定部３１２、及び映像信号判断部３１３に供給する。
【００５９】
デューティ比設定部３１２は、輝度データ入力部３１１から供給される輝度データに応じて、バックライトドライブ部３８で生成されるパルス信号のデューティー比を設定するデューティ比設定信号Ｓ１を生成する。具体的に、デューティ比設定部３１２は、輝度データの輝度値が大きくなるのに伴ってバックライトドライブ部３８で生成されるＰＷＭ信号のデューティー比を設定するデューティー比設定信号Ｓ１を生成する。
【００６０】
すなわち、デューティ比設定部３１２は、デューティ比をＤｍｉｎからＤｍａｘまでの間で設定する。ここで、Ｄｍｉｎ、Ｄｍａｘは、共に値が０ではない有効な値である。また、デューティ比設定部３１２は、輝度データの値が最低のときデューティ比をＤｍｉｎに設定し、輝度データの値が最高のとき、デューティ比をＤｍａｘに設定する。ここで、デューティ比設定部３１２が、輝度データの値が小さくてもデューティ比を０に設定しないのは、一定時間以上バックライト４５に電圧を供給しないと、その後有効なデューティ比のパルス信号を生成してバックライト４５を駆動しようとしてもバックライト４５の不感帯特性によって不点灯を起こすおそれがあるからである。これは、一般的なバックライトの温度特性などに依存するものである。このような不感帯特性を考慮して不点灯が発生するのを防止するため、従来のバックライト駆動系は、常に輝度値が０である無効な映像信号を表示するときでも、例えばＰＷＭ周期毎に常にバックライトに電圧を印加するような設計がなされている。
【００６１】
映像信号判断部３１３は、信号入力部１０から画像処理部３０へ有効な映像信号が入力されるかを、輝度データ入力部３１１から供給される輝度データの値が所定の閾値より小さいか否かにより判断する。例えば、映像信号判断部３１３は、フレーム単位の輝度データの平均値が所定の閾値より小さいとき、有効な映像信号ではないと判断する。また、映像信号判断部３１３は、複数のフレームに亘って各フレーム内の輝度データの平均値が所定の閾値より小さいとき、有効な映像信号ではないと判断するようにしてもよい。そして、映像信号判断部３１３は、上述した判断結果に応じた判定信号Ｓ２をバックライトドライブ部３８に供給する。
【００６２】
ユーザ設定部３１４は、デューティ比設定部３１２の動作に関する設定情報が図示しないユーザインタフェースを介して供給される。具体的に、ユーザ設定部３１４は、映像信号判断部３１３の処理の閾値に関する値が設定情報としてユーザインタフェースから供給され、この閾値に関する設定情報を映像信号判断部３１３に供給する。
【００６３】
バックライトドライブ部３８は、制御部３１から供給されるデューティー比設定信号Ｓ１に応じたＰＷＭ信号を生成するＰＷＭ信号生成部３８１と、制御部３１から供給される判定信号Ｓ２に応じてＰＷＭ信号生成部３８１で生成されたＰＷＭ信号を構成しているパルス信号を間引く間引き処理部３８２とを備えている。
【００６４】
ＰＷＭ信号生成部３８１は、ＰＷＭ周期が固定の信号生成回路であって、制御部３１から供給されるデューティー比設定信号Ｓ１に応じたＰＷＭ信号を生成する。すなわち、ＰＷＭ信号生成部３８１は、デューティ比設定信号Ｓ１に応じたデューティー比のパルス信号から構成されるＰＷＭ信号を生成し、この生成したＰＷＭ信号を間引き処理部３８２に供給する。また、ＰＷＭ信号生成部３８１は、デューティ比設定信号で設定されるデューティ比がＤｍｉｎ〜Ｄｍａｘの間なので、全ＰＷＭ周期において有効なデューティー比を有するようパルス幅変調したパルス信号から構成される駆動信号を生成する。なお、本実施の形態においては、ＰＷＭ周波数が例えば１５０Ｈｚであるものとする。
【００６５】
間引き処理部３８２は、制御部３１から供給される判定信号Ｓ２に応じてＰＷＭ信号生成部３８１で生成されたＰＷＭ信号を構成しているパルス信号を間引く。具体的に、間引き処理部３８２では、制御部３１の映像信号判断部３１３で有効ではない映像信号と判断されたときに出力される判定信号Ｓ２が供給されると、有効なデューティ比の信号を供給してバックライト４５を駆動しようとしても不点灯を起こすおそれがない程度に、ＰＷＭ信号を構成しているパルス信号を間引いた駆動信号Ｓ３をバックライト駆動回路４６に供給する。一方、間引き処理部３８２では、制御部３１の映像信号判断部３１２で有効な映像信号と判断されたときに出力される判定信号Ｓ２が供給されると、ＰＷＭ信号を構成しているパルス信号を間引くことなく、駆動信号Ｓ３をバックライト駆動回路４６に供給する。
【００６６】
バックライト駆動回路４６は、バックライトドライブ部３８から供給される駆動信号Ｓ３に応じて、パルス数変調（Pulse Number Modulation: PNM）した駆動電圧Ｓ４をバックライト４５に印加する。ここで、バックライト駆動回路４６で生成される駆動電圧Ｓ４の周波数は、バックライトドライブ部３８で生成される駆動信号のＰＷＭ周波数に比べて非常に高く設定され、本実施の形態ではその一例として５０ｋＨｚとする。
【００６７】
バックライト４５は、バックライト駆動回路４６から供給される駆動電圧Ｓ４に応じて冷陰極蛍光管を点灯して、液晶型表示パネル４１の背面を照明する。
【００６８】
なお、本実施の形態では、輝度データ入力部３１１とデューティ比設定部３１２と映像信号判断部３１３とユーザ設定部３１４とに関する機能は、制御部３１を実現するプロセッサ上に組み込まれているが、このような構成に限定されるものではなく、例えば、バックライトドライブ部３８に組み込まれているようにしてもよい。
【００６９】
次に、バックライトドライブ部３８で生成される駆動信号Ｓ３と、バックライト駆動回路４６で生成される駆動電圧Ｓ４との対応関係を図３に示して、映像信号の状態に応じて異なるバックライト４５の動作を説明する。
【００７０】
図３（Ａ）は、例えば輝度データの平均輝度値の値が非常に高い映像信号を液晶型表示パネル４１に表示するときの、駆動信号Ｓ３と駆動電圧Ｓ４とを示す図である。
【００７１】
このとき、デューティ比設定部３１２では、例えば輝度データの平均輝度値が非常に高いためデューティー比をＤｍａｘに設定する旨のデューティ比設定信号を生成して、ＰＷＭ信号生成部３８１に供給する。また、映像信号判断部３１３では、輝度データの平均輝度値が非常に高いので有効な映像信号と判断して、この判断結果に応じた判定信号Ｓ２を間引き処理部３８２に供給する。
【００７２】
よって、ＰＷＭ信号生成部３８１では、デューティー比がＤｍａｘのパルス信号を生成して、間引き処理部３８２に供給する。そして、間引き処理部３８２では、判定信号Ｓ２に応じて間引き処理を行わない図３（Ａ）に示す駆動信号Ｓ３をバックライト駆動回路４６に供給する。
【００７３】
そして、バックライト駆動回路４６では、バックライトドライブ部３８から供給される駆動信号Ｓ３に応じてＰＮＭ変調したパルス信号から構成される駆動電圧Ｓ４をバックライト４５に印加する。
【００７４】
次に、図３（Ｂ）は、例えば輝度データの平均輝度値の値が比較的低い映像信号を液晶型表示パネル４１に表示するときの、駆動信号Ｓ３と駆動電圧Ｓ４とを示す図である。
【００７５】
このとき、デューティ比設定部３１２では、輝度データの平均輝度値が比較的低いので、例えばデューティー比をＤｍｉｎに設定するデューティ比設定信号Ｓ１を生成して、ＰＷＭ信号生成部３８１に供給する。また、映像信号判断部３１３では、輝度データの平均輝度値が比較的低いが有効な映像信号と判断して、この判断結果に応じた判定信号Ｓ２を間引き処理部３８２に供給する。
【００７６】
よって、ＰＷＭ信号生成部３８１では、デューティー比がＤｍｉｎのパルス信号を生成して、間引き処理部３８２に供給する。そして、間引き処理部３８２では、判定信号Ｓ２に応じて間引き処理を行わない図３（Ｂ）に示す駆動信号Ｓ３をバックライト駆動回路４６に供給する。
【００７７】
そして、バックライト駆動回路４６では、バックライトドライブ部３８から供給される駆動信号Ｓ３に応じてＰＮＭ変調したパルス信号から構成される駆動電圧Ｓ４をバックライト４５に印加する。
【００７８】
次に、図３（Ｃ）は、有効な輝度値を有しない映像信号を液晶型表示パネル４１に表示するときの駆動信号Ｓ３と駆動電圧Ｓ４とを示す図である。
【００７９】
このとき、デューティ比設定部３１２では、輝度データの平均輝度値が比較的低いので、例えばデューティー比をＤｍｉｎに設定する旨のデューティ比設定信号Ｓ１を生成して、ＰＷＭ信号生成部３８１に供給する。また、映像信号判断部３１３では、有効ではない映像信号と判断して、この判断結果に応じた判定信号Ｓ２を間引き処理部３８２に供給する。
【００８０】
よって、ＰＷＭ信号生成部３８１では、デューティー比がＤｍｉｎのパルス信号を生成して、間引き処理部３８２に供給する。そして、間引き処理部３８２では、判定信号Ｓ２に応じて、例えば、図３（Ｃ）に示すように、１ＰＷＭ周期毎にパルス信号を間引いた駆動信号Ｓ３をバックライト駆動回路４６に供給する。ここで、間引き処理部３８２では、具体例として１ＰＷＭ周期毎にパルス信号を間引いているが、これに限定されるものではなく、有効なデューティ比の信号を供給してバックライト４５を駆動しようとしたときに不点灯を起こすおそれがない程度であれば、一定時間間隔毎により多くのパルス信号を間引くようにしてもよい。
【００８１】
そして、バックライト駆動回路４６では、バックライトドライブ部３８から供給される駆動信号Ｓ３に応じてＰＮＭ変調したパルス信号から構成される駆動電圧Ｓ４をバックライト４５に印加する。
【００８２】
このようにして、液晶型表示装置１では、映像信号判断部３１３が入力された輝度データの値が所定の値より小さいと判断したとき、間引き処理部３８２がＰＷＭ信号を構成しているパルス信号を間引き、バックライト駆動回路４６がこの駆動信号Ｓ３に応じた駆動電圧Ｓ４をバックライト４５に印加するので、有効ではない映像信号を液晶型表示パネル４１に表示するときに消費される電力を低減することができる。
【００８３】
ここで、図３（Ｃ）に示すような駆動信号Ｓ３は、例えば、ＰＷＭ信号生成部のＰＷＭ周期を２倍に変更することによって生成することができる。これに対して、液晶型表示装置１では、ＰＷＭ信号生成部３８１のＰＷＭ周期が固定である。したがって、本実施の形態に係るバックライトドライバ部３８では、ＰＷＭ周期が変更可能なＰＷＭ信号生成回路を用いることなく同様の信号を生成するので、ＰＷＭ周期を変更可能なＰＷＭ信号生成回路を用いることによって生じる駆動回路の回路規模の増大を抑制して、上述のように消費電力を低減することができる。
【図面の簡単な説明】
【００８４】
【図１】本発明を適用した液晶型表示装置の構成の一例を示すブロック図である。
【図２】本発明を適用した液晶型表示装置に備えられたバックライトの駆動に供する構成を示すブロック図である。
【図３】バックライトを駆動させる駆動信号の説明に供する図である。
【符号の説明】
【００８５】
１  液晶型表示装置、１０  信号入力部、１１  ＲＦ端子、１２  ＢＳ／ＣＳ用端子、１３  チューナー、１４  ＨＤＭＩ入力端子、１５ａ、１５ｂ、１５ｃ  アナログ音声入力端子、１６  バス、２０  データ入力部、２１  Ｂ−ＣＡＳカード、２２  Ｂ−ＣＡＳインタフェース、２３  モデムインタフェース部、２４  イーサインタフェース部、３０  画像処理部
【図１】
2008275683.tif 000003
【図２】
2008275683.tif 000004
【図３】
2008275683.tif 000005